(57)【特許請求の範囲】
【請求項１】
機械のメンテナンス時に当該機械をメンテナンス作業箇所付近にて操作可能とするために作業者により携帯可能なメンテナンス用副操作盤であって、
当該副操作盤における一つの操作面に設けられ当該作業者の一方の手による操作時にのみ上記機械の動作部分を動作させる操作スイッチと、
当該副操作盤における２つの把持側面に設けられ、当該作業者の他方の手によるオン操作の実行中のみ上記操作スイッチを動作可能状態とし該動作可能状態において上記一方の手で上記操作スイッチを操作することで上記動作部分を動作可能とするイネーブルスイッチと、
上記作業者が上記他方の手の指にて上記イネーブルスイッチを含む上記把持側面を把持するとき、上記他方の手の指が上記操作面側に回り込むのを防止するつば形状にてなる操作禁止用部材と、
を備えたことを特徴とするメンテナンス用副操作盤。
【請求項２】
機械のメンテナンス時に当該機械をメンテナンス作業箇所付近にて操作可能とするために作業者により携帯可能なメンテナンス用副操作盤であって、
当該副操作盤における一つの操作面に設けられ当該作業者の一方の手による操作時にのみ上記機械の動作部分を動作させる操作スイッチと、
当該作業者の他方の手によるオン操作の実行中のみ上記操作スイッチを動作可能状態とし該動作可能状態において上記一方の手で上記操作スイッチを操作することで上記動作部分を動作可能とするイネーブルスイッチと、
上記イネーブルスイッチのオン操作を行っているとき当該作業者の上記他方の手の指による上記操作スイッチの操作を禁止する操作禁止用部材と、を備え、
当該副操作盤は、上記操作面に対向する裏面と、上記操作面及び上記裏面に直交し互いに対向する２つの把持側面とをさらに有し、上記作業者が上記裏面側より上記他方の手の指にて上記把持側面を把持するとき、上記イネーブルスイッチは、それぞれの把持側面に設けられ、
上記操作禁止用部材は、上記イネーブルスイッチが設けられた上記把持側面にて、上記操作面の一部を該操作面に沿って延長しかつ上記他方の手の指が上記操作面側に回り込むのを防止して立設される、つば形状である、
ことを特徴とするメンテナンス用副操作盤。
【請求項３】
上記イネーブルスイッチが形成された上記把持側面間の寸法は、上記他方の手の少なくとも手のひらを上記裏面に接触させて当該副操作盤を支持した状態において、上記把持側面に設けられた２つの上記イネーブルスイッチの内、一方のイネーブルスイッチを上記他方の手の親指にて操作し他方のイネーブルスイッチを上記他方の手の残りの一又は複数の指にて操作するに対応した寸法である、請求項２記載のメンテナンス用副操作盤。
【請求項４】
機械のメンテナンス時に当該機械をメンテナンス作業箇所付近にて操作可能とするために作業者により携帯可能なメンテナンス用副操作盤であって、
上記作業者の一方の手による操作時にのみ上記機械の動作部分を動作させる操作スイッチを設けた当該副操作盤の操作面と、
上記操作面の裏面に突出して設けられ上記作業者の他方の手により把持される把持部と、
上記把持部に設けられ、且つ、上記作業者の他方の手によるオン操作の実行中のみ上記操作スイッチを動作可能状態とし該動作可能状態において上記一方の手で上記操作スイッチを操作することで上記動作部分を動作可能とするイネーブルスイッチと、を備え、
上記把持部は、上記作業者の上記他方の手の指が上記イネーブルスイッチのオン操作を行っているときに上記他方の手の指が上記操作面の上記操作スイッチに届かない大きさである、
ことを特徴とするメンテナンス用副操作盤。
【請求項５】
上記イネーブルスイッチは一つである、請求項４記載のメンテナンス用副操作盤。
【請求項６】
上記イネーブルスイッチは、押下したときのみ上記オン操作となり押下解除により自動的にオフとなるスイッチである、請求項１から５のいずれかに記載のメンテナンス用副操作盤。
【請求項７】
上記イネーブルスイッチが上記把持側面にあけられた装着用開口部分に挿通された押下ボタンが進退するように設置されるとき、上記イネーブルスイッチは、上記押下ボタンと上記装着用開口部分との隙間を埋めかつ上記押下ボタンが摺動可能な部材であって上記押下ボタンの押下解除にも拘わらず押下状態を上記押下ボタンが維持することを防止する押下状態維持防止部材をさらに備えた、請求項１から３のいずれかに記載のメンテナンス用副操作盤。
【請求項８】
上記機械は、回路基板へ電子部品を装着する電子部品実装機である、請求項１から７のいずれかに記載のメンテナンス用副操作盤。
【請求項９】
上記機械は、回路基板にパターンを印刷する印刷装置である、請求項１から７のいずれかに記載のメンテナンス用副操作盤。
【発明の詳細な説明】
【０００１】
【発明の属する技術分野】
本発明は、機械のメンテナンス時に当該機械を操作するために作業者が携帯する副操作盤であって作業者による操作時のみ機械を動作させ非操作時には上記機械を非動作とするメンテナンス用副操作盤、及び該副操作盤の操作方法に関する。当該メンテナンス用副操作盤にて動作される上記機械としては、例えば、電子部品を回路基板上に実装する電子部品実装機や、回路基板上に例えばクリーム半田を印刷するクリーム半田印刷装置等の回路基板を扱う製造装置等が挙げられる。
【０００２】
【従来の技術及び発明が解決しようとする課題】
図８に示すように、従来より、例えば電子部品実装機１には、通常製造時に当該電子部品実装機１の動作制御用の主操作盤２と、当該電子部品実装機１のメンテナンス時においてはメンテナンス箇所に近い所にて作業者が当該電子部品実装機１を動作確認するため上記主操作盤２から分岐したメンテナンス用副操作盤３とを備えている。
従来の上記メンテナンス用副操作盤３は、図９に示すように形態であり、操作パネル上に配列された操作スイッチ４を作業者が操作したときのみ、操作されたスイッチ４に対応する、上記電子部品実装機１に備わる機構部分が動作する。即ち、それぞれの上記操作スイッチ４は、自動復帰型のスイッチであり、作業者が上記操作スイッチ４を押下しオン状態となったときのみ上記機構部分を動作させ、作業者が上記押下を止めると同時に自動的にオフ状態に戻り、上記機構部分の動作を停止させる。このような自動復帰型の操作スイッチ４を設けた理由は、メンテナンス作業のため作業者が電子部品実装機１内の作業を行うときには操作スイッチ４から手が離れることから、操作スイッチ４から手が離れることで電子部品実装機１を強制的に非動作状態とし、メンテナンス作業時における作業者の安全を図るためである。
【０００３】
しかしながら、図９に示すような従来のメンテナンス用副操作盤３では、作業者が一方の手で操作スイッチ４を押下して上記機構部分を動作させながら、他方の手で電子部品実装機１内のメンテナンス作業を行うことも可能であり、作業者の作業安全対策としては万全ではなかった。又、日本も含め、欧米諸国では作業者に対する安全対策により万全を期すように求められている。
本発明はこのような観点を考慮してなされたもので、メンテナンス時における作業者の作業安全対策をより強化したメンテナンス用副操作盤、及び操作方法を提供することを目的とする。
【０００４】
【課題を解決するための手段】
本発明の第１態様のメンテナンス用副操作盤は、機械のメンテナンス時に当該機械をメンテナンス作業箇所付近にて操作可能とするために作業者により携帯可能なメンテナンス用副操作盤であって、
当該副操作盤における一つの操作面に設けられ当該作業者の一方の手による操作時にのみ上記機械の動作部分を動作させる操作スイッチと、
当該副操作盤における２つの把持側面に設けられ、当該作業者の他方の手によるオン操作の実行中のみ上記操作スイッチを動作可能状態とし該動作可能状態において上記一方の手で上記操作スイッチを操作することで上記動作部分を動作可能とするイネーブルスイッチと、
上記作業者が上記他方の手の指にて上記イネーブルスイッチを含む上記把持側面を把持するとき、上記他方の手の指が上記操作面側に回り込むのを防止するつば形状にてなる操作禁止用部材と、
を備えたことを特徴とする。
【０００５】
本発明の第２態様のメンテナンス用副操作盤の操作方法は、機械のメンテナンス時に当該機械をメンテナンス作業箇所付近にて操作するために作業者により携帯され、操作面には操作時にのみ上記機械の動作部分を動作させる操作スイッチを有するメンテナンス用副操作盤の操作方法において、
上記操作面に対向する裏面側にて当該作業者の一方の手で当該副操作盤を把持するとともに、該把持状態において上記一方の手の指による上記操作スイッチの操作を禁止された状態にて上記操作スイッチを動作可能状態とするイネーブルスイッチをオン操作し、
上記イネーブルスイッチのオン操作の実行中にのみ当該作業者の他方の手の指にて上記操作スイッチを操作する、
ことを特徴とする。
【０００６】
【発明の実施の形態】
本発明の実施形態のメンテナンス用副操作盤、及び該副操作盤の操作方法について、図を参照しながら以下に説明する。尚、各図において同じ構成部分については同じ符号を付している。又、上記課題を解決するための手段に記載する「機械」の一実施形態として上記電子部品実装機を例に採る。
図１は、本実施形態のメンテナンス用副操作盤１０１を示している。このようなメンテナンス用副操作盤１０１は、図８に示す従来の場合と同様に、電子部品実装機１の主操作盤２にケーブル１０２を介して接続され、電子部品実装機１のメンテナンス時には、主操作盤２に代わってメンテナンス作業箇所付近にて電子部品実装機１の動作部分を操作可能とするために、作業者により携帯可能な形状及び寸法にてなる。メンテナンス用副操作盤１０１は、図４に示すように、操作面１０３と、該操作面１０３に対向する裏面１０４と、操作面１０３及び裏面１０４に直交し互いに対向する２つの側面であって後述のイネーブルスイッチ１１１−１，１１１−２が設けられる把持側面１０５−１，１０５−２と、操作面１０３及び裏面１０４に直交しかつ上記把持側面１０５−１，１０５−２にも直交し互いに対向する２つの側面１０６−１，１０６−２とを有して形成される、大略、直方体形状である。
【０００７】
上記操作面１０３には、上記メンテナンス時において、作業者の一方の手、例えば右手による操作時のみ、詳しくは押下中のみ、上記電子部品実装機１の動作部分を動作させる操作スイッチ１０７が、いわゆるタッチパネル形式にて形成されている。尚、図示の副操作盤１０１では、マトリックス状に複数の操作スイッチ１０７を設けているが、操作面１０３には一つの操作スイッチ１０７を設けてもよい。又、操作スイッチ１０７は、押下したときのみオンとなり上記電子部品実装機１の動作部分を動作させ押下解除により自動的にオフとなり上記動作部分を非作動にするスイッチである。尚、複数の操作スイッチ１０７が設けられるとき、同時に複数の操作スイッチ１０７を押下することで、これらの操作スイッチ１０７に対応する複数の動作部分を同時に動作させることもできる。又、操作スイッチ１０７には、オン状態を表示する表示ランプ１０７ａが設けられている。電子部品実装機１用の副操作盤１０１における操作スイッチ１０７の具体例としては、例えば、「ヘッド回転」用スイッチや、「ノズルセレクト」用スイッチ等があり、上記「ヘッド回転」用スイッチを押下することで、図８に示す電子部品供給装置１１から電子部品を吸着保持し回路基板３０へ装着する吸着ノズルを複数有するヘッドを回転させ、又、上記「ノズルセレクト」用スイッチを押下することで、吸着動作させる上記吸着ノズルの選択を行う。尚、上記「機械」が、回路基板上に配線パターンを印刷したり、配線パターン上の電極部分に対応したパターンが描かれたマスクを使用してクリーム半田を印刷するような、印刷装置であるときには、副操作盤における上記操作スイッチとして、例えば「スキージ移動」用スイッチ等が設けられ、上記「スキージ移動」用スイッチを押下することで、スキージを移動させることができる。
又、操作面１０３には、図２に示すように主操作盤２からケーブル１０２−１を介して当該副操作盤１０１への電力供給の有無を表示、回路基板３０の搬送中の表示、等用の表示ランプ１０８も設けられている。
【０００８】
上記把持側面１０５−１，１０５−２には、それぞれ一つずつイネーブルスイッチ１１１−１，１１１−２が設けられる。該イネーブルスイッチ１１１−１，１１１−２は、作業者の他方の手、例えば左手の指により押下されたときのみオン状態となり、両方のイネーブルスイッチ１１１−１，１１１−２が同時にオン状態であるときのみ、上記操作スイッチ１０７を動作可能状態とする。尚、イネーブルスイッチ１１１−１，１１１−２も、作業者が押下したときのみオン状態となり、作業者が押下を解除したときには、当該イネーブルスイッチ１１１−１，１１１−２に備わるスプリングにより自動的に直ちに元の状態に復帰してオフ状態となる。
又、このようなイネーブルスイッチ１１１−１，１１１−２が設けられる上記把持側面１０５−１，１０５−２の間の寸法、即ち図３に示す寸法Iは、作業者の上記左手の少なくとも手のひらが上記裏面１０４に接触して当該副操作盤１０１を支持した状態において、上記イネーブルスイッチ１１１−１を上記左手の親指にて操作し上記イネーブルスイッチ１１１−２を上記左手の残りの一又は複数の指にて操作するに対応した寸法である。本実施形態では、上記寸法Iは、１００ｍｍである。尚、上記寸法Iは、当該副操作盤１０１を使用する人間の平均的な手の大きさの数値を参考にして決定される寸法であり、例えば日本人用と欧米人用とでは異なる値となる。
【０００９】
イネーブルスイッチ１１１−１，１１１−２は、上述のように作業者により押下される押下ボタン１１２を有する。このようなイネーブルスイッチ１１１−１，１１１−２を把持側面１０５−１，１０５−２に取り付けるため、把持側面１０５−１，１０５−２には、装着用開口部分があけられ、該装着用開口部分に上記押下ボタン１１２，１１２が挿通され進退可能に取り付けられる。しかしながら、上記装着用開口部分の内面と押下ボタン１１２の外面との間に隙間があると、押下ボタン１１２を押下した状態で上記隙間に物を詰め込むことで、作業者が押下を解除したにも拘わらず押下状態を維持させることも可能である。そこで上記押下維持状態を作成できないようにするため、本実施形態では、イネーブルスイッチ１１１−１，１１１−２は、さらに、上記隙間を物の詰め込みが不可能な程度に埋め、かつ押下ボタン１１２が摺動可能な部材であって押下ボタン１１２の押下解除にも拘わらず押下ボタン１１２が押下状態を維持することを防止する押下状態維持防止部材１１３を備えている。
又、イネーブルスイッチ１１１−１，１１１−２は、本実施形態のように把持側面１０５−１，１０５−２よりも突出して取り付けられるタイプに限定されるものではなく、例えば、把持側面１０５−１，１０５−２よりも副操作盤１０１内にくぼんだ凹部内に取り付けてもよい。
【００１０】
又、本実施形態の副操作盤１０１では、さらに、上記把持側面１０５−１，１０５−２には、それぞれ、つば状の形態にて操作禁止用部材１２１−１，１２１−２が形成されている。上記つば状形態の操作禁止用部材１２１−１，１２１−２は、把持側面１０５−１，１０５−２が設けられている副操作盤１０１の幅方向へ操作面１０３を、該操作面１０３にほぼ沿って延長して形成した部材であり、上述のようにイネーブルスイッチ１１１−１，１１１−２をオン操作している作業者の上記左手の指が操作面１０３側に回り込み操作スイッチ１０７を操作するのを防止する部材である。尚、本実施形態では図示のように操作面１０３の一部のみを延長した形態としているが、これに限定されず、例えば操作面１０３の全面にわたり延長して把持側面１０５−１，１０５−２に、それぞれ操作禁止用部材を形成するようにしてもよい。又、操作面１０３を延長しなくても、把持側面１０５−１，１０５−２にそれぞれ上述の操作禁止用部材１２１−１，１２１−２を立設してもよい。
尚、本実施形態において、操作禁止用部材１２１−１，１２１−２の図３に示す幅寸法IIは、３０ｍｍである。
【００１１】
尚、本実施形態では、イネーブルスイッチ１１１−１，１１１−２は、図示するように、把持側面１０５−１，１０５−２において対向して配置されているが、把持側面１０５−１，１０５−２内で、かつ操作禁止用部材が設けられる範囲内であれば、その配置位置は任意である。
【００１２】
このように構成される副操作盤１０１の動作、及び操作方法について以下に説明する。
メンテナンスを始める際、作業者はまずケーブル１０２を主操作盤２に備わるコネクタ部分に接続する。これにより主操作盤２に代わって副操作盤１０１より電子部品実装機１の動作部分５のメンテナンス時における操作が可能となる。
図３及び図４に示すように、作業者は例えば左手の手のひら及び指にて副操作盤１０１の裏面１０４を支持し、かつ当該左手の親指にて一方のイネーブルスイッチ１１１−１を押下し当該左手の残りの一又は複数の指、例えば中指にて他方のイネーブルスイッチ１１１−２を押下する。尚、この状態において、当該左手の、イネーブルスイッチ１１１−１，１１１−２をオン操作している指、及び残りの指を操作面１０３側に回り込ませてこれらの指にて操作スイッチ１０７を押下することは、イネーブルスイッチ１１１−１，１１１−２に対応して操作禁止用部材１２１−１，１２１−２を設けているので不可能である。又、イネーブルスイッチ１１１−１，１１１−２の両者が同時に押下されオン操作されることで、操作スイッチ１０７が動作可能状態となる。
この状態において、電子部品実装機１内の動作させたい動作部分５に対応する操作スイッチ１０７を、図４に示すように作業者は右手で押下する。
図２を参照すると、これらの動作によりイネーブルスイッチ１１１−１，１１１−２の両方、及び所望の操作スイッチ１０７が閉じられるので、閉じられた操作スイッチ１０７及びケーブル１０２−２を介して主操作盤２に信号が伝わり、電子部品実装機１内の対応する動作部分が動作する。
上記動作部分５の動作の可否の確認後、又は上記動作部分５の所定の動作終了後、作業者は少なくとも一方の手を副操作盤１０１から離し、メンテナンス作業を行う。
【００１３】
上述のように本実施形態の副操作盤１０１によれば、対向して配置される把持側面１０５−１，１０５−２にそれぞれイネーブルスイッチ１１１−１，１１１−２を設け、かつ両方のイネーブルスイッチ１１１−１，１１１−２を例えば左手で同時にオン操作している状態で該左手の指にて操作面１０３の操作スイッチ１０７を操作できないように操作禁止用部材１２１−１，１２１−２を設けたことで、作業者の左手は当該副操作盤１０１の支持及びイネーブルスイッチ１１１−１，１１１−２の両者同時のオン操作以外に使用することは不可能となる。さらにはイネーブルスイッチ１１１−１，１１１−２を両者同時にオン操作しなければ操作面１０３の操作スイッチ１０７は動作可能状態にはならない。したがって、メンテナンスの動作確認作業のため、電子部品実装機１の動作部分を作動させるために、操作スイッチ１０７を操作するためには作業者は残りの右手を使わざるを得ない。即ち、本実施形態の副操作盤１０１を操作して電子部品実装機１の動作部分を作動させるためには、作業者は両手を使用しなければならない。そして、もし作業者が左、右いずれかの手を副操作盤１０１から離したときには、電子部品実装機１の動作部分は停止する。
このように本実施形態の副操作盤１０１を使用することで、メンテナンス時において、電子部品実装機１の動作部分が作動している状態にあるとき、作業者が手を電子部品実装機１内に入れて作業することは不可能となる。したがって、メンテナンス時における作業者の作業の安全が確実に確保される。
【００１４】
上述の副操作盤１０１では、２つの操作禁止用部材１２１−１，１２１−２を設けたが、これに限定されるものではない。例えば図５に示すメンテナンス用副操作盤１５１のように、一方の操作禁止用部材１２１−１のみを設けることもできる。但しこの場合には、操作禁止用部材が設けられていない把持側面１０５−２側においては、イネーブルスイッチ１１１−１，１１１−２を押下している手の指を操作面１０３側に回り込ませることも可能となるので、操作面１０３の把持側面１０５−２側の縁部には操作スイッチ１０７を設けない等の配慮が必要となる。
【００１５】
図６及び図７には、上述の副操作盤１０１の変形例を示している。図６に示す副操作盤１６１は、操作面１０３に対向する裏面１６２を図示のように反操作面側に凸となる山形形状とすることで、副操作盤１０１のように例えば操作面１０３を延長して形成した操作禁止用部材１２１−１，１２１−２を省略したタイプである。作業者は、山形形状の裏面１６２の頂上部分に例えば左手の手のひらを接触させて裏面１６２付近を把持することで副操作盤１６１を支持する。よって、裏面１６２を把持したとき上記左手の指が操作面１０３に回り込まないように、山形形状の裏面１６２の高さ寸法IIIを決定することで、裏面１６２に上述の操作禁止用部材の機能を兼ねさせ、副操作盤１０１におけるつば形状の操作禁止用部材の形成を省略したものである。さらに、山形形状の裏面１６２の例えば頂上部分に上述のイネーブルスイッチ１６３を配置することで、作業者が裏面１６２を把持したときには上記手のひらにて該イネーブルスイッチ１６３を押下することができ、イネーブルスイッチの設置個数を１つにすることができる。
このような副操作盤１６１においても、作業者は例えば左手でイネーブルスイッチ１６３を押下しながら裏面１６２を把持し、右手で操作面１０３の操作スイッチ１０７を操作する。よって、副操作盤１０１を使用する場合と同様に、副操作盤１６１を使用するときも、機械の動作部分が動作中に作業者が手を機械内に入れることはできず、作業者の作業の安全が確保される。
【００１６】
図７に示す副操作盤１７１も、副操作盤１６１と同様であり、副操作盤１０１のように例えば操作面１０３を延長して形成した操作禁止用部材１２１−１，１２１−２を省略したタイプであり、図示するように、操作面１０３に対向する裏面１７２に反操作面側に凸となるように板状部材１７３を突設した。作業者は、例えば左手でこの板状部材１７３を把持して副操作盤１７１を支持する。この副操作盤１７１においても、板状部材１７３の高さ寸法IVを、板状部材１７３を把持したとき上記左手の指が操作面１０３に回り込まないような値に決定することで、板状部材１７３に上述の操作禁止用部材の機能を兼ねさせ、副操作盤１０１におけるつば形状の操作禁止用部材の形成を省略した。又、上述と同様のイネーブルスイッチ１７４−１，１７４−２を板状部材１７３の対向する把持側面１７３ａ，１７３ｂにそれぞれ設けた。よって、作業者は板状部材１７３を把持すると同時にイネーブルスイッチ１７４−１，１７４−２を同時に押下する必要がある。尚、作業者の手のひらが接触する板状部材１７３の側面１７３ｃにイネーブルスイッチを設けるようにすることで、板状部材１７３を手で把持するときに手のひらで側面１７３ｃに設けたイネーブルスイッチを押下することができるので、イネーブルスイッチの設置個数を一つにすることもできる。但しこの場合、側面１７３ｃに設けるイネーブルスイッチは、例えば板状体上に側面１７３ｃを接触させた状態にて当該副操作盤１７１を載置したときにオン状態とならないように、例えば側面１７３ｃに設けた凹部内に上記イネーブルスイッチを設ける等の配慮が必要となる。
このような副操作盤１７１においても、作業者は例えば左手でイネーブルスイッチ１７４−１，１７４−２を押下しながら板状部材１７３を把持し、右手で操作面１０３の操作スイッチ１０７を操作する。よって、副操作盤１０１を使用する場合と同様に、副操作盤１７１を使用するときも、機械の動作部分の動作中に作業者が手を機械内に入れることはできず、作業者の作業の安全が確保される。
【００１７】
尚、上述の各副操作盤１０１，１５１，１６１，１７１では、いずれも操作面１０３に上記イネーブルスイッチを設けたタイプではないが、例えば、同一の操作面上において上記操作スイッチ１０７とイネーブルスイッチとを分離して配置し、操作スイッチ１０７と上記イネーブルスイッチとの境界部分に両者を隔てる隔壁を上述の操作禁止用部材として設けるように構成することもできる。
【００１８】
【発明の効果】
以上詳述したように本発明の第１態様のメンテナンス用副操作盤、及び第２態様の上記副操作盤の操作方法によれば、操作スイッチと、イネーブルスイッチと、操作禁止用部材とを備え、上記イネーブルスイッチのオン操作中でなければ上記操作スイッチは動作しないように構成し、かつ上記操作禁止用部材により、上記イネーブルスイッチをオン操作している作業者の他方の手の指で上記操作スイッチを操作することはできないように構成した。よって、メンテナンス時において当該副操作盤を作業者が使用するときには、作業者の他方の手による上記イネーブルスイッチのオン操作中に、一方の手で上記操作スイッチを操作することになり、両手を使用せざるを得なくなる。よって、当該副操作盤の使用により機械の動作部分が動作するが、該動作中に作業者が手を上記動作部分に差し込むことはできない。したがって、メンテナンス時における作業者の作業安全対策をより強化することができる。
【図面の簡単な説明】
【図１】  本発明の実施形態のメンテナンス用副操作盤の平面図である。
【図２】  図１に示すメンテナンス用副操作盤の回路図である。
【図３】  図１に示すメンテナンス用副操作盤を作業者が把持している状態を上記副操作盤の裏面側から見た図である。
【図４】  図１に示すメンテナンス用副操作盤を作業者が使用している状態の斜視図である。
【図５】  図１に示すメンテナンス用副操作盤の変形例を示す平面図である。
【図６】  図１に示すメンテナンス用副操作盤の他の変形例を示す斜視図である。
【図７】  図１に示すメンテナンス用副操作盤の別の変形例を示す斜視図である。
【図８】  電子部品実装機及び副操作盤の従来の形態を示す斜視図である。
【図９】  従来の副操作盤の平面図である。
【符号の説明】
１０１…メンテナンス用副操作盤、１０３…操作面、１０４…裏面、
１０５−１，１０５−２…把持側面、１０７…操作スイッチ、
１１１−１，１１１−２…イネーブルスイッチ、
１１２…押下ボタン、１１３…押下状態維持防止部材、
１２１−１，１２１−２…操作禁止用部材、
１６１…メンテナンス用副操作盤、１６２…裏面、
１６３…イネーブルスイッチ、
１７１…メンテナンス用副操作盤、１７３…板状部材、
１７３ａ，１７３ｂ…把持側面、
１７４−１，１７４−２…イネーブルスイッチ。
【図１】
0003851717.tif 000002
【図２】
0003851717.tif 000003
【図３】
0003851717.tif 000004
【図４】
0003851717.tif 000005
【図５】
0003851717.tif 000006
【図６】
0003851717.tif 000007
【図７】
0003851717.tif 000008
【図８】
0003851717.tif 000009
【図９】
0003851717.tif 000010